(57)【要約】【課題】簡単に設置することができるとともに止水性能を向上させることができる止水装置を提供する。【解決手段】Ｌ字止水部材１０が角部Ｃに押し付けられていることから、止水本体部２Ａの側端部において壁部Ｗとの間に角部Ｃから水が浸入することを効果的に抑制し、止水性能を向上させることができる。傾斜部２３３の先端２３３Ａが押圧部材６の角押圧部６３に当接して局所的に加圧していることで、地面Ｇに載置された布等を全体的に加圧する構成と比較して止水に必要な力が小さくなり、装置全体を軽量化することができ、簡単に設置することができる。【選択図】図２
2017008644.tif 000002
【特許請求の範囲】
【請求項１】
地面に対して立設された壁部に向かう水を止水する止水装置であって、
前記壁部に沿って配置される板状又はシート状の壁止水部を有する止水本体部と、
前記壁止水本体部における前記壁部側の面の側端部に設けられる側端部止水部材と、
前記止水本体部の下端に連なり地面に載置されるとともに前記壁部から離れる方向に延びる底面止水部材と、
前記底面止水部材及び前記側端部止水部材に連続的に設けられるとともに地面と前記壁部との間の角部に当接する角止水部材と、
前記底面止水部材に載置される第１板部、該第１板部から立設されて前記壁止水部における前記壁部の反対側に沿って配置される第２板部、及び、該第１板部と該第２板部との間に位置する角押圧部、を有する断面Ｌ字状の押圧部材と、
前記第１板部及び前記第２板部に対して傾斜して延びる傾斜部を有するとともに該傾斜部の先端を前記角押圧部に当接させて該角部に向けて加圧する加圧手段と、を備えることを特徴とする止水装置。
【請求項２】
前記止水本体部の側方に設けられて前記底面止水部材と前記側端部止水部材と前記角止水部材とに側方から当接する側方押さえ部材をさらに備えることを特徴とする請求項１に記載の止水装置。
【請求項３】
前記底面止水部材と前記側端部止水部材と前記角止水部材とは、前記止水本体部及び前記押圧部材から側方に突出することで断面Ｌ字状の突出止水部を構成し、
前記突出止水部を地面及び前記壁部との間に挟み込む突出押さえ部材をさらに備え、
前記側方押さえ部材は、前記突出押さえ部材に側方から当接することを特徴とする請求項２に記載の止水装置。
【請求項４】
前記角止水部材は、前記側端部止水部材又は前記底面止水部材と一体に形成され、
前記底面止水部材には、上面において開口して下方に延びる溝状又は孔状の被嵌合部が形成され、
前記側端部止水部材の下端には、前記被嵌合部と嵌合する嵌合部が形成されていることを特徴とする請求項１〜３に記載の止水装置。
【請求項５】
前記止水本体部は、シート状の前記壁止水部と、該壁止水部を支持するとともに前記押圧部材の上方に配置される支持枠と、を有し、
前記加圧手段は、前記支持枠の下端部に配置されるとともに前記傾斜部が設けられた加圧部材と、該加圧部材又は前記壁止水部に設けられて前記壁部に向かう水圧を受圧する受圧部と、を備え、前記支持枠の重量によって前記角押圧部を下方に加圧するとともに、前記受圧部が受圧した水圧によって該角押圧部を壁部側に加圧することを特徴とする請求項１〜４のいずれか１項に記載の止水装置。
【請求項６】
前記止水本体部を自立させるための脚部材をさらに備え、
前記脚部材は、地面に載置される載置脚部と、該載置脚部から前記壁部に向かって斜め上方に延びて前記支持枠に連結される傾斜脚部と、を有し、
前記支持枠と前記載置脚部とは、ヒンジによって連結されて折り畳み可能に構成されていることを特徴とする請求項５に記載の止水装置。
【請求項７】
前記止水本体部を前記壁部に固定するための枠固定部材をさらに備え、
前記枠固定部材は、前記壁部に固定される壁固定面部を有する壁固定部と、前記壁部との間に前記支持枠を挟み込む正面部を有するとともに当該支持枠に固定される枠固定部と、前記壁固定面部と前記正面部とが互いに近づくような力を前記壁固定部及び前記枠固定部に加える締付部と、を備えることを特徴とする請求項５又は６に記載の止水装置。
【請求項８】
前記加圧手段は、前記壁部から離隔した一辺が地面に載置されるとともに前記壁部側の他辺が前記一辺よりも上方に位置するように傾斜した傾斜板部と、該傾斜板部の前記他辺側に設けられた前記傾斜部と、を有することを特徴とする請求項１〜４のいずれか１項に記載の止水装置。
【発明の詳細な説明】
【技術分野】
【０００１】
本発明は、地面に対して立設された壁部に向かう水を止水する止水装置に関する。
【背景技術】
【０００２】
従来、直立固定された止水枠板と、この止水枠板を被覆する防水布と、を備えた洪水防止用止水板（止水装置）が提案されている（例えば、特許文献１参照）。特許文献１に記載された従来の止水装置は、洪水時に土嚢の代わりに用いられ、土嚢よりも容易に設置される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、防水布と地面との間に水が浸入してしまうことがあり、この水を止水できなくなってしまう可能性がある。また、このような防水布を建物等の壁部に取り付けた場合、防水布と地面との間から浸入した水が壁部にまで到達してしまうという不都合が考えられる。そこで、防水布の重量を重くしたり防水布に重量物を載置したりすることによって地面との間に水が浸入することを抑制する対応も考えられるものの、装置全体の重量が増加してしまい、設置する際の作業性が低下してしまう。
【０００５】
本発明の目的は、簡単に設置することができるとともに止水性能を向上させることができる止水装置を提供することにある。
【課題を解決するための手段】
【０００６】
本発明の止水装置は、地面に対して立設された壁部に向かう水を止水する止水装置であって、前記壁部に沿って配置される板状又はシート状の壁止水部を有する止水本体部と、前記壁止水本体部における前記壁部側の面の側端部に設けられる側端部止水部材と、前記止水本体部の下端に連なり地面に載置されるとともに前記壁部から離れる方向に延びる底面止水部材と、前記底面止水部材及び前記側端部止水部材に連続的に設けられるとともに地面と前記壁部との間の角部に当接する角止水部材と、前記底面止水部材に載置される第１板部、該第１板部から立設されて前記壁止水部における前記壁部の反対側に沿って配置される第２板部、及び、該第１板部と該第２板部との間に位置する角押圧部、を有する断面Ｌ字状の押圧部材と、前記第１板部及び前記第２板部に対して傾斜して延びる傾斜部を有するとともに該傾斜部の先端を前記角押圧部に当接させて該角部に向けて加圧する加圧手段と、を備えることを特徴とする。
【０００７】
以上のような本発明によれば、地面に載置される底面止水部材が止水本体部の下端に連なっていることで、地面と止水本体部との間に水が浸入して壁部に向かうことが抑制される。このとき、断面Ｌ字状の押圧部材の第１板部が底面止水部材に載置されるとともに、加圧手段が押圧部材の角押圧部を地面と壁部との間の角部に向けて押圧することで、加圧手段の圧力によって底面止水部材が地面に押し付けられ、止水性能を向上させることができる。
【０００８】
さらに、止水本体部の側端部に側端部止水部材が設けられるとともに、地面と壁部との間の角部に当接する角止水部材が設けられていることで、止水本体部と壁部との間に側方から水が浸入することを抑制することができる。また、押圧部材の第１板部が底面止水部材に載置され、第２板部が壁止水部に沿って配置されることから、押圧部材が、Ｌ字状に配置された側端部止水部材と底面止水部材と角止水部材と（以下、Ｌ字止水部材と呼ぶ）を、角部及びその周辺との間に挟み込んでいる。加圧手段が押圧部材を角部に向けて加圧することで、Ｌ字止水部材を角部に押し付け、止水本体部の側端部において壁部との間に角部から水が浸入することを効果的に抑制し、止水性能を向上させることができる。
【０００９】
また、本発明では、加圧手段が傾斜部を押圧部材の角押圧部に当接させて局所的に加圧していることで、地面に載置された布等を全体的に加圧する構成と比較して止水に必要な力が小さくなり、重量物を用いて加圧する場合であっても装置全体を軽量化することができ、簡単に設置することができる。
【００１０】
この際、本発明の止水装置では、前記止水本体部の側方に設けられて前記底面止水部材と前記側端部止水部材と前記角止水部材とに側方から当接する側方押さえ部材をさらに備えることが好ましい。このような構成によれば、底面止水部材と側端部止水部材と角止水部材とに側方押さえ部材が当接することによって変形が抑制され、これらの止水部材が地面又は壁部から捲れることによって離れてしまうことを抑制し、止水性能をさらに向上させることができる。
【００１１】
さらに、本発明の止水装置では、前記底面止水部材と前記側端部止水部材と前記角止水部材とは、前記止水本体部及び前記押圧部材から側方に突出することで断面Ｌ字状の突出止水部を構成し、前記突出止水部を地面及び前記壁部との間に挟み込む突出押さえ部材をさらに備え、前記側方押さえ部材は、前記突出押さえ部材に側方から当接することが好ましい。このような構成によれば、突出押さえ部材によって突出止水部を地面との間に挟み込むとともに壁部との間に挟み込むことにより、突出止水部の変形をより効果的に抑制することができる。
【００１２】
また、本発明の止水装置では、前記角止水部材は、前記側端部止水部材又は前記底面止水部材と一体に形成され、前記底面止水部材には、上面において開口して下方に延びる溝状又は孔状の被嵌合部が形成され、前記側端部止水部材の下端には、前記被嵌合部と嵌合する嵌合部が形成されていてもよい。このような構成によれば、側端部止水部材の嵌合部が底面止水部材の被嵌合部と嵌合することで、側端部止水部材及び底面止水部材の一方の端面が他方に当接する構成（例えば、底面止水部材の上面に側端部止水部材の下端面が当接する構成）と比較して、側端部止水部材と底面止水部材との相対位置をずれにくくすることができる。従って、側端部止水部材と底面止水部材とに異なる方向の力が加わった場合に、これらの部材の間に水が浸入することを抑制することができる。
【００１３】
また、本発明の止水装置では、前記止水本体部は、シート状の前記壁止水部と、該壁止水部を支持するとともに前記押圧部材の上方に配置される支持枠と、を有し、前記加圧手段は、前記支持枠の下端部に配置されるとともに前記傾斜部が設けられた加圧部材と、該加圧部材又は前記壁止水部に設けられて前記壁部に向かう水圧を受圧する受圧部と、を備え、前記支持枠の重量によって前記角押圧部を下方に加圧するとともに、前記受圧部が受圧した水圧によって該角押圧部を壁部側に加圧することが好ましい。このような構成によれば、加圧手段が支持枠の重量と、受圧部が受圧した水圧と、を利用して角押圧部を加圧することで、装置全体を軽量化することができる。
【００１４】
さらに、本発明の止水装置では、前記止水本体部を自立させるための脚部材をさらに備え、前記脚部材は、地面に載置される載置脚部と、該載置脚部から前記壁部に向かって斜め上方に延びて前記支持枠に連結される傾斜脚部と、を有し、前記支持枠と前記載置脚部とは、ヒンジによって連結されて折り畳み可能に構成されていることが好ましい。このような構成によれば、脚部材によって止水本体部を自立させることにより、設置した止水装置を安定させることができる。また、支持枠と載置脚部とが折り畳み可能に構成されていることで、使用しない場合には折り畳むことによって小型化して収納することができる。
【００１５】
さらに、本発明の止水装置では、前記止水本体部を前記壁部に固定するための枠固定部材をさらに備え、前記枠固定部材は、前記壁部に固定される壁固定面部を有する壁固定部と、前記壁部との間に前記支持枠を挟み込む正面部を有するとともに当該支持枠に固定される枠固定部と、前記壁固定面部と前記正面部とが互いに近づくような力を前記壁固定部及び前記枠固定部に加える締付部と、を備えることが好ましい。このような構成によれば、枠固定部材によって止水本体部を壁部に固定することで、受圧部が水圧を受圧する前に止水本体部が壁部から離れて水が浸入してしまうことを抑制することができる。また、締付部によって壁固定面部と正面部とが近づくような力を加えられることで、正面部を壁部に対して近づけようとすることができ、支持枠の壁部側に設けられた側端部止水部材を壁部に押し付けることができる。
【００１６】
また、本発明の止水装置では、前記加圧手段は、前記壁部から離隔した一辺が地面に載置されるとともに前記壁部側の他辺が該一辺よりも上方に位置するように傾斜した傾斜板部と、該傾斜板部の前記他辺側に設けられた前記傾斜部と、を有していてもよい。このような構成によれば、傾斜板部は、壁部から離隔した一辺が地面に載置されるとともに、壁部側の他辺が上方に位置していることで、重力によって一辺を中心として他辺が下方に向かうように回転しようとする。従って、他辺側に設けられた傾斜部は、角押圧部に対し、この回転の接線方向（傾斜板部の傾斜面に直交する方向）への力を加える。即ち、傾斜部は、壁部側に向かう力と、下方への力と、を加え、角部に向けて加圧することができる。このとき、傾斜板部は人が乗ることができる踏み台（ステップ）の一部であることがより好ましく、このような構成によれば、傾斜板部の重量だけでなく人の重量も利用して角押圧部を加圧することができる。
【発明の効果】
【００１７】
以上のような本発明の止水装置によれば、加圧手段が押圧部材を角部に向けて加圧することで、止水性能を向上させることができるとともに、装置全体を軽量化して簡単に設置することができる。
【図面の簡単な説明】
【００１８】
【図１】本発明の第１実施形態に係る止水装置を示す斜視図である。
【図２】前記止水装置の要部を示す側面図である。
【図３】前記止水装置を示す背面図である。
【図４】前記止水装置の要部を示す分解斜視図である。
【図５】前記止水装置の要部を示す側面図である。
【図６】前記止水装置の要部を示す正面図である。
【図７】本発明の第２実施形態に係る止水装置を示す斜視図である。
【図８】前記止水装置の要部を示す側面図である。
【図９】変形例の止水装置を示す側面図である。
【図１０】他の変形例の止水装置を示す斜視図である。
【図１１】他の変形例の止水装置の要部を示す斜視図である。
【図１２】他の変形例の止水装置の要部を示す斜視図である。
【発明を実施するための形態】
【００１９】
以下、本発明の各実施形態を図面に基づいて説明する。なお、第２実施形態においては、第１実施形態で説明する構成部材と同じ構成部材及び同様な機能を有する構成部材には、第１実施形態と同じ符号を付すとともに説明を省略する。
【００２０】
〔第１実施形態〕
図１は、本発明の第１実施形態に係る止水装置１Ａを示す斜視図であり、図２は、止水装置１Ａの要部を示す側面図であり、図３は、止水装置１Ａを示す背面図であり、図４は、止水装置１Ａの要部を示す分解斜視図であり、図５は、止水装置１Ａの要部を示す側面図であり、図６は、止水装置１Ａの要部を示す正面図である。
【００２１】
本実施形態の止水装置１Ａは、図１〜４に示すように、止水本体部２Ａと、側端部止水部材３と、底面止水部材４と、中央止水部材５と、押圧部材６と、側方押さえ部材としての外側サイドプレート７と、突出押さえ部材８と、脚部材９と、を備え、地面Ｇに対して立設された建物の壁部Ｗに沿って配置され、壁部Ｗに向かう水を止水することで建物の浸水を抑制するためのものである。尚、本実施形態において、水平方向のうち壁部Ｗに沿う方向を止水装置１Ａの幅方向とし、壁部Ｗに交差する方向を奥行き方向とする。また、本実施形態では、地面Ｇが水平面に沿って延びるとともに外壁Ｗが鉛直方向に立設されるものとするが、地面Ｇが傾斜していてもよいし、外壁Ｗが鉛直方向から多少の傾きを有していてもよい。
【００２２】
止水本体部２Ａは、壁部Ｗに沿って配置されるシート状の壁止水部２１と、壁止水部２１を支持する支持枠２２と、を有する。壁止水部２１は、例えばポリエチレン等の合成樹脂によって形成されたタープ（ブルーシート）であり、支持枠２２よりも下方まで延びている。
【００２３】
支持枠２２は、適宜な金属によって縦枠２２１〜２２３及び横枠２２４、２２５を有して形成され、縦枠２２１〜２２３には、後述する傾斜脚部９２の先端を係止するためにフック状に切り欠かれた係止部２２６が形成されている。支持枠２２の下端に位置する下方側の横枠２２５は、押圧部材６から離隔して上方に位置するとともに、壁部Ｗに沿うように下方側に延びるように折り曲げられた折曲部２２７が形成され、折曲部２２７に加圧部材２３がネジ止めや溶接等によって固定されている。尚、加圧部材２３は折曲部２２７と一体に設けられていてもよい。
【００２４】
加圧部材２３には、壁部Ｗに沿うように延びて折曲部２２７に固定される被固定部２３１と、被固定部２３１の下端に連続して壁部Ｗから離れつつ下方に延びる第１傾斜部２３２と、第１傾斜部２３２の下端に連続して壁部Ｗに近づきつつ下方に延びる傾斜部としての第２傾斜部２３３と、が形成されている。第２傾斜部２３３は、地面Ｇに対して例えば約４５°の傾斜を有しており、後述する第１板部６１及び第２板部６２に対して傾斜しており、その先端２３３Ａが後述する角押圧部６３に当接する。
【００２５】
壁止水部２１及び加圧部材２３における壁部Ｗと反対側の面全体が、受圧部２０となる。即ち、壁止水部２１及び加圧部材２３のうち水に浸かった部分が壁部Ｗに向かう水圧を受圧するようになっている。このような受圧部２０と加圧部材２３とによって加圧手段が構成される。
【００２６】
側端部止水部材３は、例えばゴムや軟質な樹脂等の弾性部材によって帯状に形成され、壁止水部２１における壁部Ｗ側の面の幅方向両側端部に設けられるとともに、地面Ｇから止水本体部２Ａの上端まで上下方向に延びている。また、側端部止水部材３の下端部３１は地面Ｇと壁部Ｗとの間の角部Ｃに当接し、この下端部３１が角止水部材として機能する。即ち、本実施形態において角止水部材は側端部止水部材３と一体に形成されている。また、側端部止水部材３は、図４に示すように、一部が止水本体部２Ａ及び押圧部材６から側方（幅方向）に突出している。
【００２７】
底面止水部材４は、例えばゴムや軟質な樹脂等の弾性部材によって帯状に形成され、壁止水部２１の下端且つ裏面（壁部Ｗ及び地面Ｇ側の面）側に設けられるとともに、壁止水部２１の下端が折り曲げられることで地面Ｇに載置され、止水本体部２Ａの下端に連なり壁部Ｗから離れる方向に延びる。また、底面止水部材４は、壁止水部２１の幅方向全体に亘って設けられるとともに、側端部止水部材３の下端部３１に壁部Ｗの反対側から密着する。即ち、底面止水部材４は角止水部材としての下端部３１と連続的に設けられるとともに、側端部止水部材３よりも壁部Ｗから離れた位置まで延びている。底面止水部材４は、図４に示すように、一部が止水本体部２Ａ及び押圧部材６から側方（幅方向）に突出しており、この突出寸法は側端部止水部材３の突出寸法と略等しい。
【００２８】
以上のような角止水部材を有する側端部止水部材３と底面止水部材４とは、角部Ｃ近傍において、Ｌ字止水部材１０を構成する。また、側端部止水部材３及び底面止水部材４のうち止水本体部２Ａ及び押圧部材６から突出した部分が断面Ｌ字状の突出止水部１１を構成する。
【００２９】
中央止水部材５は、例えばゴムや軟質な樹脂等の弾性部材によって帯状に形成され、壁止水部２１の幅方向略中央部に設けられて地面Ｇから止水本体部２Ａの上端まで上下方向に延びている。
【００３０】
押圧部材６は、止水本体部２Ａとは別体に設けられた断面Ｌ字状の鋼材であって、底面止水部材４に載置される第１板部６１と、第１板部６１から立設されて壁止水部２１における壁部Ｗの反対側に沿って配置される第２板部６２と、第１板部６１と第２板部６２との間に位置する角押圧部６３と、を有する。押圧部材６は、図２に示すように、底面止水部材４を地面Ｇとの間に挟み込むとともに、側端部止水部材３を壁部Ｗとの間に挟み込み、即ち、Ｌ字止水部材１０を角部Ｃ及びその周辺との間に挟み込む。尚、本実施形態では、第１板部６１と底面止水部材４との間に載置板６０が設けられ、第１板部６１が載置板６０を介して底面止水部材４及び壁止水部２１に載置されるものとするが、載置板６０は省略されていてもよい。また、底面止水部材４の上面において壁止水部２１は省略されていてもよい。
【００３１】
外側サイドプレート７は、上下方向及び奥行き方向を含む平面に沿って延びる金属製の板状部材によって構成され、突出押さえ部材８を挟んで脚部材９の後述する載置脚部９１の側方に固定されることで、止水本体部２Ａの側方に設けられる。また、外側サイドプレート７は、突出押さえ部材８と重ならない露出部７１を有し、露出部７１においてＬ字止水部材１０に側方から当接する。また、外側サイドプレート７は、地面Ｇ及び壁部Ｗに当接する。
【００３２】
突出押さえ部材８は、脚部材９の側方に固定される内側サイドプレート８１と、内側サイドプレート８１における脚部材９の反対側かつ地面Ｇ及び壁部Ｗ側の角部に固定されるコーナープレート８２と、を備え、内側サイドプレート８１及びコーナープレート８２は、外側サイドプレート７と略平行に延びる金属製の板状部材によって構成されている。内側サイドプレート８１及びコーナープレート８２は、図５に示すように、突出止水部１１における底面止水部材４に載置されるとともに側端部止水部材３に壁部Ｗの反対側から当接し、突出止水部１１を地面Ｇとの間に挟み込むとともに突出止水部１１を壁部Ｗとの間に挟み込む。さらに、図６に示すように、内側サイドプレート８１の板厚とコーナープレート８２の板厚との合計が、突出止水部１１の突出寸法に略等しい。尚、この板厚の合計よりも突出止水部１１の突出寸法の方が若干大きくてもよく、その場合、外側サイドプレート７を側方から押し付けることによって突出止水部１１を圧縮すればよい。
【００３３】
脚部材９は、止水本体部２Ａを自立させるために設けられ、地面Ｇに載置される枠状の載置脚部９１と、載置脚部９１から壁部Ｗに向かって斜め上方に延びて支持枠２２に連結される傾斜脚部９２と、を有している。載置脚部９１は、底面に止水シート等を有していてもよいし、枠のみで構成されていてもよい。傾斜脚部９２は、載置脚部９１における壁部Ｗから離れた側の端縁近傍に取り付けられるとともに取り外し可能に設けられている。また、載置脚部９１と支持枠２２とは、幅方向の両端においてヒンジ１２によって連結されており、載置脚部９１と支持枠２２とを閉じるように折り畳み可能に構成されている。ヒンジ１２は、壁部Ｗから離れた位置において載置脚部９１に取り付けられている。
【００３４】
ここで、止水装置１Ａの設置方法について説明する。まず、折り畳まれた載置脚部９１と支持枠２２とを開き、載置脚部９１及び支持枠２２に傾斜脚部９２を取り付け、載置脚部９１と支持枠２２とが閉じないようにする。このような止水装置１Ａを、壁止水部２１が壁部Ｗに沿うように設置する。このとき、側端部止水部材３を壁部Ｗに密着させるとともに、底面止水部材４を地面Ｇに載置し、Ｌ字止水部材１０を角部Ｃ及びその周辺との間に挟むように押圧部材６を載置する。さらに、押圧部材６の角押圧部６３に第２傾斜部２３３の先端２３３Ａを当接させる。次に、外側サイドプレート７及び内側サイドプレート８１を共締めによって載置脚部９１の固定孔に固定する。このとき、例えばボルトに蝶ナット等を締め付けることにより、工具を用いずに固定することが好ましい。
【００３５】
このように設置された止水装置１Ａにおいて、特に加圧部材２３周辺に生じる力について説明する。まず、降雨前や降雨開始直後において地面Ｇ上に水がほとんど存在しない場合について考える。支持枠２２は、傾斜脚部９２及びヒンジ１２を介して載置脚部９１に接続されているものの、傾斜脚部９２及びヒンジ１２が壁部Ｗから離れていることから、支持枠２２は傾斜脚部９２及びヒンジ１２のみによっては完全には支持されず、第２傾斜部２３３の先端２３３Ａが押圧部材６の角押圧部６３に当接して支持枠２２の重量の一部が加えられて支持される。従って、支持枠２２の重量によって底面止水部材４が下方に押圧される。
【００３６】
次に、降雨によって地面Ｇ上に水が溜まり、止水装置１Ａの一部が浸かるような水位となった場合について考える。支持枠２２の一部が水に浸かると浮力が生じるものの、支持枠２２は金属製であるため密度が高く、浮力よりも重力の方が大きいことから、上記と同様に支持枠２２の重量によって底面止水部材４が下方に押圧される。さらに、受圧部２０のうち水に浸かった部分が壁部Ｗへの水圧を受圧し、第２傾斜部２３３の先端２３３Ａが角押圧部６３を壁部Ｗ側に押圧する。従って、側端部止水部材３が壁部Ｗに押圧される。このように第２傾斜部２３３が下方への力と壁部Ｗへの力とによって角押圧部６３を押圧することで、加圧手段（受圧部２０及び加圧部材２３）によってＬ字止水部材１０が角部Ｃに向けて加圧される。
【００３７】
このような本実施形態によれば、以下のような効果がある。即ち、地面Ｇに載置される底面止水部材４が止水本体部２Ａの下端に設けられることで、地面Ｇと止水本体部２Ａとの間に水が浸入して壁部Ｗに向かうことが抑制される。このとき、底面止水部材４が下方に押圧されて地面Ｇに押し付けられることで、止水性能を向上させることができる。さらに、止水本体部２Ａの両側端部に側端部止水部材３が設けられるとともに、この下端部３１が角部Ｃに当接して角止水部材として機能することで、止水本体部２Ａと壁部Ｗとの間に側方から水が浸入することを抑制することができる。また、Ｌ字止水部材１０が角部Ｃに押し付けられていることから、止水本体部２Ａの側端部において壁部Ｗとの間に角部Ｃから水が浸入することを効果的に抑制し、止水性能を向上させることができる。
【００３８】
また、傾斜部２３３の先端２３３Ａが押圧部材６の角押圧部６３に当接して局所的に加圧していることで、地面Ｇに載置された布等を全体的に加圧する構成と比較して止水に必要な力が小さくなり、装置全体を軽量化することができ、簡単に設置することができる。
【００３９】
さらに、外側サイドプレート７が突出止水部１１に側方から当接することで、突出止水部１１が地面又は壁部から捲れることによって離れてしまうことを抑制し、止水性能をさらに向上させることができる。また、内側サイドプレート８１及びコーナープレート８２が突出止水部１１を地面Ｇとの間に挟み込むとともに、突出止水部１１を壁部Ｗとの間に挟み込むことで、突出止水部１１の変形をより効果的に抑制することができる。
【００４０】
また、加圧手段が支持枠２２の重量と、受圧部２０が受圧した水圧と、を利用して角押圧部６３を加圧することで、装置全体を軽量化することができる。
【００４１】
さらに、脚部材９によって止水本体部２Ａを自立させることにより、設置した止水装置１Ａを安定させることができる。また、支持枠２２と載置脚部９１とが折り畳み可能に構成されていることで、使用しない場合には折り畳むことによって小型化して収納することができる。
【００４２】
〔第２実施形態〕
図７は、本発明の第２実施形態に係る止水装置１Ｂを示す斜視図であり、図８は、止水装置１Ｂの要部を示す側面図である。本実施形態の止水装置１Ｂは、図７、８に示すように、止水本体部２Ｂと、側端部止水部材３と、底面止水部材４と、押圧部材６と、第２Ｌ字止水部材１３と、ステップ１４と、を備える。
【００４３】
止水本体部２Ｂは、板状の壁止水部２４を備える。尚、止水本体部２Ｂは、前記第１実施形態と同様にシート状の壁止水部と支持枠とを備えていてもよい。
【００４４】
第２Ｌ字止水部材１３は、壁止水部２４の下端に連続して下方に延びる鉛直止水部１３１と、鉛直止水部１３１の下端に密着して壁部Ｗから離れるように延びる水平止水部１３２と、を有して断面Ｌ字状に形成されるとともに、Ｌ字止水部材１０を角部Ｃ及びその周辺との間に挟み込むように設けられ、押圧部材６が載置される。即ち、押圧部材６は、Ｌ字止水部材１０だけでなく第２Ｌ字止水部材１３も角部Ｃ及びその周辺との間に挟み込む。尚、底面止水部材４が側端部止水部材３に固定されていてもよいし、側端部止水部材３と底面止水部材４と第２Ｌ字止水部材１３とが固定されていてもよい。
【００４５】
ステップ１４は、壁部Ｗから離隔した一辺が地面Ｇに載置されるとともに壁部Ｗ側の他辺がこの一辺よりも上方に位置するように傾斜した傾斜板部１４１と、傾斜板部１４１の他辺側に設けられた傾斜部１４２と、傾斜板部１４１の上面から突出して壁部Ｗに向かって延びる支持突出部１４３と、を有し、傾斜板部１４１上に人が乗ることができるようになっている。
【００４６】
傾斜部１４２は、前記第１実施形態の第２傾斜部２３３と同様に、壁部Ｗに近づくにしたがって下方に向かって延びるとともに、第１板部６１及び第２板部６２に対して傾斜し、その先端１４２Ａが角押圧部６３に当接する。
【００４７】
支持突出部１４３の先端には、上下方向に延びる押さえ部１４４が形成され、押さえ部１４４が壁止水部２４に当接することにより、止水本体部２Ｂの倒れが抑制される。尚、押さえ部１４４の壁止水部２４との当接面には、滑り止め部材が設けられていることが好ましい。
【００４８】
以上のような止水装置１Ｂは、次のように設置される。まず、止水本体部２Ｂを壁部Ｗに沿うように配置し、倒れないようにする。このとき、接着テープ等を用いて側端部止水部材３を壁部Ｗに接着してもよいし、ステップ１４を設置するまで作業者が支えてもよい。次に、Ｌ字止水部材１０及び第２Ｌ字止水部材１３に押圧部材６を載置する。さらに、傾斜部１４２の先端１４２Ａが押圧部材６の角押圧部６３に当接するとともに押さえ部１４４が壁止水部２４に当接するように、ステップ１４を設置する。このとき、傾斜板部１４１上に適宜な重量物（例えば土嚢）等を載置してもよい。
【００４９】
このように設置された止水装置１Ｂにおいて、特に傾斜部１４２周辺に生じる力について説明する。傾斜板部１４１は、壁部Ｗから離隔した一辺が地面Ｇに載置されるとともに、壁部Ｗ側の他辺が上方に位置していることで、重力によって一辺を中心として他辺が下方に向かうように回転しようとする。従って、他辺側に設けられた傾斜部１４２は、角押圧部６３に対し、この回転の接線方向（傾斜板部１４１の傾斜面に直交する方向）への力を加える。即ち、傾斜部１４２は角押圧部６３に対し、壁部Ｗ側に向かう力と、下方への力と、を加え、角部Ｃに向けて加圧し、ステップ１４が加圧手段として機能する。さらに、傾斜板部１４１に人が乗ったり重量物が載置されたりした場合には、ステップ１４の重量だけでなく人や重量物の重量によっても角押圧部６３が加圧される。尚、ステップ１４の一部が水に浸かると浮力が生じるものの、ステップ１４は金属製であるため密度が高く、浮力よりも重力の方が大きいことから、この場合にも加圧手段として機能する。
【００５０】
このような本実施形態によれば、前記第１実施形態と同様の効果を奏することができる。さらに、ステップ１４の重量を利用して角押圧部６３を加圧することで、装置全体を軽量化することができる。
【００５１】
なお、本発明は、前記実施形態に限定されるものではなく、本発明の目的が達成できる他の構成等を含み、以下に示すような変形等も本発明に含まれる。例えば、前記第１、２実施形態では、止水装置１Ａ、１Ｂが地面Ｇに対して立設された建物の壁部Ｗに沿って配置されるものとしたが、図９に示すように、２つの止水装置１Ａを止水本体部２Ａの背面側同士が当接するように配置することで、一方の止水装置１Ａの止水本体部２Ａを他方の止水装置１Ａの壁部として機能させてもよい。また、壁部を備えて自立可能な衝立部材を地面に配置し、この壁部に沿うように止水装置を配置してもよい。このような構成によれば、止水装置の配置の自由度を向上させることができ、建物の止水に限らず、道路や河川に沿って配置して止水することができる。
【００５２】
また、前記第１、２実施形態では、止水本体部２Ａ、２Ｂが平面状の壁部Ｗに沿って配置されるものとしたが、壁部は曲面状であってもよく、図１０に示すように、壁部の形状に合わせて止水本体部２Ｃや脚部材９Ｃ等を適宜に湾曲させた止水装置１Ｃとしてもよい。また、上記のように自立可能な衝立部材によって適宜な建造物等を囲むとともに、この衝立部材に対して止水装置１Ａ〜１Ｃを適宜に組み合わせて設置することにより、止水装置１Ａ〜１Ｃによって建造物等を囲んでもよい。
【００５３】
また、前記第１実施形態では、側端部止水部材３及び底面止水部材４が止水本体部２Ａ及び押圧部材６から側方に突出するものとしたが、突出していなくてもよく、この場合、突出押さえ部材８が省略されればよい。また、コーナープレート８２は、突出寸法に応じて適宜な板厚のものが用いられたり、複数枚用いられたり、省略されたりしてもよい。
【００５４】
また、前記第１、２実施形態では、角止水部材が側端部止水部材３と一体に設けられているものとしたが、底面止水部材が壁部Ｗにまで延びて角部Ｃに当接し、底面止水部材と角止水部材とが一体に形成されていてもよい。また、角止水部材が側端部止水部材及び底面止水部材と別体に形成されていてもよいし、側端部止水部材及び底面止水部材と一体に形成されていてもよい。
【００５５】
また、前記第１、２実施形態では、側端部止水部材３と底面止水部材４とが奥行き方向に並ぶ、即ち、底面止水部材４における壁部Ｗ側の端面が側端部止水部材３の壁部Ｗの反対側の面に当接するものとしたが、底面止水部材が壁部Ｗまで延び（即ち、角止水部材が底面止水部材と一体に形成され）、底面止水部材の上面に側端部止水部材の下端面が当接して載置される構成であってもよい。また、図１１（Ａ）に示すように、底面止水部材４に、壁部Ｗ側に開口するとともに上面から下面に亘って延びる（上面及び下面において開口する）溝状の被嵌合部４Ａが形成され、側端部止水部材３に、被嵌合部４Ａに嵌合する嵌合部３Ａが形成される構成としてもよい。このとき、前記第１、２実施形態と同様に、側端部止水部材３の下端近傍が角止水部材として機能する。ここで、被嵌合部４Ａの溝の深さ及び幅が図示するように側端部止水部材３の幅及び厚さ（奥行き方向寸法）と等しいか若干小さく形成され、側端部止水部材３の下端近傍が嵌合部３Ａとなっていてもよいし、被嵌合部４Ａの溝の深さ及び幅が側端部止水部材３の幅及び厚さよりも小さく形成され、側端部止水部材３の下端に、溝の深さ及び幅に応じた寸法を有する突起状の嵌合部が形成されていてもよい。
【００５６】
また、図１１（Ｂ）に示すように、溝状の被嵌合部４Ｂが下面まで延びていない構成としてもよい。このとき、底面止水部材４のうち側端部止水部材３の嵌合部３Ｂの下方に位置する部分が角止水部材として機能する。また、図１１（Ｃ）に示すように、底面止水部材４に、上面から下面に亘って上下方向に延びる孔状の被嵌合部４Ｃが形成され、側端部止水部材３の下端に、被嵌合部４Ｃに嵌合する突起状の嵌合部３Ｃが形成される構成としてもよい。このとき、底面止水部材４のうち壁部Ｗ側の部分が角止水部材として機能する。
【００５７】
以上のような図１１（Ａ）〜（Ｃ）に示す構成によれば、側端部止水部材３の嵌合部３Ａ〜３Ｃが底面止水部材４の被嵌合部４Ａ〜４Ｃと嵌合することで、側端部止水部材３と底面止水部材４との相対位置をずれにくくすることができる。従って、側端部止水部材３と底面止水部材４とに異なる方向の力が加わった場合に、これらの部材の間に水が浸入することを抑制することができる。また、嵌合部３Ａ〜３Ｃと被嵌合部４Ａ〜４Ｃとの間には、軟質なコーキング材（例えばシリコーン系のコーキング材等）が充填されてもよく、このような構成によれば、側端部止水部材３と底面止水部材４との間への浸水をさらに抑制することができる。
【００５８】
また、前記第１実施形態では、壁止水部２１が壁部Ｗに沿うように止水装置１Ａを設置するものとしたが、図１２に示すような枠固定部材１５を用いて止水本体部２Ａを壁部Ｗに固定してもよい。枠固定部材１５は、壁部Ｗに固定される壁固定部１５１と、支持枠２２の縦枠２２８に固定される枠固定部１５２と、締付部としてのキャッチクリップ１５３と、を備える。尚、縦枠２２８には、後述するボルト１５２Ｃが螺合可能なボルト孔２２８Ａが形成されているものとする。
【００５９】
壁固定部１５１は、壁部Ｗに沿うとともに例えば接着剤や接着シート等によって壁部Ｗに固定される壁固定面部１５１Ａと、縦枠２２８に幅方向外側から当接する外側当接面部１５１Ｂと、を有する断面Ｌ字状のアングル部材に、壁部Ｗに向かって開口した断面Ｊ字状のフックを有するフック部材１５１Ｃが固定されたものである。フック部材１５１Ｃは壁固定面部１５１Ａに固定されている。枠固定部１５２は、縦枠２２８に幅方向内側から当接する内側当接面部１５２Ａと、壁部Ｗとの間に縦枠２２８を挟み込む正面部１５２Ｂと、を有する断面Ｌ字状のアングル部材に、幅方向に沿って延びるボルト１５２Ｃが取り付けられたものである。内側当接面部１５２Ａには、ボルト１５２Ｃが挿通される孔が形成され、正面部１５２Ｂには、キャッチクリップ１５３を固定するための孔が形成されている。
【００６０】
キャッチクリップ１５３は、ネジ１５４とナットプレート１５５とによって挟み込まれて正面部１５２Ｂに固定される土台部１５３Ａと、土台部１５３Ａの幅方向外側端部に軸支されたレバー部１５３Ｂと、レバー部１５３Ｂに軸支されるとともにフック部材１５１Ｃのフックに引っ掛けられる引掛け部１５３Ｃと、を備え、所謂スナップ錠と同様の機構を有して動作する。即ち、レバー部１５３Ｂ及び引掛け部１５３Ｃの回動軸が上下方向に沿うとともに互いに異なる位置に配置され、引掛け部１５３Ｃがバネ部材を有して伸縮可能に構成されている。
【００６１】
以上のような枠固定部材１５によって止水本体部２Ａを壁部Ｗに固定する手順について説明する。まず、ボルト１５２Ｃをボルト孔２２８Ａに螺合させ、枠固定部１５２を縦枠２２８に固定する。さらに、内側当接面部１５２Ａと外側当接面部１５１Ｂとによって縦枠２２８を幅方向から挟み込むように、壁固定面部１５１Ａを壁部Ｗに固定する。次に、引掛け部１５３Ｃをフック部材１５１Ｃのフックに引っ掛け、レバー部１５３Ｂを倒す（正面部１５２Ｂに近づける）ことで、図１２（Ｂ）に示すように固定が完了する。このようにレバー部１５３Ｂを倒すことにより、引掛け部１５３Ｃのバネ部材が伸長し、引掛け部１５３Ｃの長さ（奥行き方向寸法）Ｌ１が長くなる。従って、バネ部材の復元力によってフック部材１５１Ｃと土台部１５３Ａとが奥行き方向に沿って近づこうとし、即ち、キャッチクリップ１５３によって壁固定面部１５１Ａと正面部１５２Ｂとが互いに近づくような力が加えられる。
【００６２】
このような構成によれば、枠固定部材１５によって止水本体部２Ａを壁部Ｗに固定することで、受圧部２０が水圧を受圧する前に止水本体部２Ａが壁部Ｗから離れて水が浸入してしまうことを抑制することができる。また、キャッチクリップ１５３によって壁固定面部１５１Ａと正面部１５２Ｂとが近づくような力が加えられることで、正面部１５２Ｂを壁部Ｗに対して近づけようとすることができ、支持枠２２の壁部Ｗ側に設けられた側端部止水部材３を壁部Ｗに押し付けることができる。尚、枠固定部材は、縦枠に限らず横枠に取り付けられてもよい。
【００６３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６４】
１Ａ〜１Ｃ         止水装置
２Ａ〜２Ｃ         止水本体部
３                 側端部止水部材
４                 底面止水部材
６                 押圧部材
７                 側方押さえ部材
８                 突出押さえ部材
９                 脚部材
１１               突出止水部
１２               ヒンジ
１４               ステップ（加圧手段）
１５               枠固定部材
２０               受圧部
２１、２４         壁止水部
２２               支持枠
２３               加圧部材
３１               下端部（角止水部材）
３Ａ〜３Ｃ         嵌合部
４Ａ〜４Ｃ         被嵌合部
６１               第１板部
６２               第２板部
６３               角押圧部
９１               載置脚部
９２               傾斜脚部
１４１             傾斜板部
１４２             傾斜部
１５１             壁固定部
１５１Ａ           壁固定面部
１５２             枠固定部
１５２Ｂ           正面部
１５３             キャッチクリップ（締付部）
２３３             第２傾斜部（傾斜部）
Ｗ                 壁部
Ｇ                 地面
Ｃ                 角部
【図１】
2017008644.tif 000003
【図２】
2017008644.tif 000004
【図３】
2017008644.tif 000005
【図４】
2017008644.tif 000006
【図５】
2017008644.tif 000007
【図６】
2017008644.tif 000008
【図７】
2017008644.tif 000009
【図８】
2017008644.tif 000010
【図９】
2017008644.tif 000011
【図１０】
2017008644.tif 000012
【図１１】
2017008644.tif 000013
【図１２】
2017008644.tif 000014